(57)【特許請求の範囲】
【請求項１】
筒状口金本体の一端部に設けてある外向きの鍔部に複数の係止部を設け、前記係止部を、多角形状の孔部の複数の辺の内の一辺に設けられていなくて残りの各辺に設けられている係止片により構成し、前記各係止片を、口金本体に働くトルクの作用方向に対して鋭角に設定してなることを特徴とする紙管用の口金。
【請求項２】
複数の係止部は鍔部に等間隔に配置してあり、係止部の多角形の孔部が正方形で、四辺の内の三辺の各係止片は、口金本体に働くトルクの作用方向に対して約４５度の角度に設定してある請求項１に記載の紙管用の口金。
【請求項３】
各係止部の係止片を設けていない辺は、隣り合う係止部において対向している辺である請求項１または２に記載の紙管用の口金。
【請求項４】
各係止部の係止片は、孔部の辺から直立する二等辺三角形状である請求項１から３の内のいずれか１項に記載の紙管用の口金。
【発明の詳細な説明】
【０００１】
【発明の属する技術分野】
本発明は、紙や樹脂フィルムなどのシート材を巻き取ってロールにする場合に、芯材として使用する紙管、樹脂管（以下紙管という）の端部に嵌着する口金に関するものである。
【０００２】
【従来の技術】
シート材を巻き取ってロールにする場合に使用する紙管の端部に装着する口金としては、例えば実用新案登録第２５９８５５４号公報に記載の構成のものが知られている。
前記従来の口金は、口金本体の鍔部に、口金本体の軸線に平行な軸線を有する両端開放の筒状係止爪を複数形成した構成である。
【０００３】
【発明が解決しようとする課題】
しかし、前記従来の口金は、係止爪が筒状であるから、紙管の端部に装着した場合に充分に大きなトルクを受け止めることができない。即ち、係止爪が筒状であるから、側面から大きなトルクが作用すると変形したり潰れるばかりでなく、鍔部の基端で折損したり破壊して、紙管から脱落することがある。例えば、洋紙や新聞紙用の原紙を巻き取る場合、巻取効率の向上を目的として、著しく太く巻き取っているので、巻き取り作業中においては紙管に数トンから数十トンのトルクが、回転方向に沿って作用する。このため、従来の紙管用の口金では、上記した大きなトルクに耐えることができないので紙管から離脱し、紙管が巻き取り軸に対しスリップしたり、端部が損傷することがある。
したがって本発明は、紙管にきわめて大きなトルクが作用しても外れることがなく、また紙管の端部に簡単に装着できる紙管用の口金を提供することを目的とする。
【０００４】
【課題を解決するための手段】
前記目的を達成させるため、本発明の請求項１に記載の発明は、筒状口金本体の一端部に設けてある外向きの鍔部に複数の係止部を設け、前記係止部を、多角形状の孔部の複数の辺の内の一辺に設けられていなくて残りの各辺に設けられている係止片により構成し、前記各係止片を、口金本体に働くトルクの作用方向に対して鋭角に設定してなることを特徴とする。
【０００５】
また本発明の請求項２に記載の発明は、前記請求項１に記載の発明において、複数の係止部は鍔部に等間隔に配置してあり、係止部の多角形の孔部が正方形で、四辺の内の三辺の各係止片は、口金本体に働くトルクの作用方向に対して約４５度の角度に設定してある構成である。
【０００６】
また本発明の請求項３に記載の発明は、請求項１または２に記載の発明において、各係止部の係止片を設けていない辺は、隣り合う係止部において対向している辺である構成である。
【０００７】
また本発明の請求項４に記載の発明は、請求項１から３に記載の発明において、各係止部の係止片は、孔部の辺から直立する二等辺三角形状である構成である。
【０００８】
【発明の実施の形態】
以下に本発明を図面に示す実施の態様に基づいて説明する。
図１は一部を拡大した正面図、図２は斜視図、図３は一部を拡大した斜視図、図４は一部を拡大した図１のＡ−Ａ線の断面図、図５は紙管の端部に装着した状態の縦断面図、図６は本発明の他の実施例の縦断面図である。
【０００９】
本発明の口金１は、両端部が開放する金属製の筒状口金本体２の一端部に、外向きの鍔部３を設け、前記鍔部３に複数の係止部４・・・を等間隔で設けた構成である。
図面の実施例によれば、前記係止部４はリング状の鍔部３に、筒状口金本体２の中心に対して６０度の角度をなして等間隔に６個設けてあるが、本発明では係止部４の個数は特に限定されるものではない。
【００１０】
前記係止部４は、前記鍔部３に開設した多角形状の孔部４１の複数の辺４２から、直立するようにして設けた係止片４３により構成されている。しかし、複数の辺４２の内、一つの辺４２’には、前記係止片４３を設けていない。
図面の実施例では、孔部４１は正方形状で、一つの辺４２’に係止片４３がなくて残りの三辺４２に係止片４３を設けてある。
【００１１】
そして、前記孔部４１は、口金１に働くトルクの作用方向（図１の矢印方向であって、口金１の中央を中心とする回転方向）と対角線とが一致するように開設されている。したがって、各係止片４３は、前記トルクの作用方向に対して４５度の鋭角をなして直立している。また、係止片４３を設けていない辺４２’は、一方の隣り合う係止部４，４相互においては向かい合っているので、他方に隣り合う係止部４，４相互では離反している。
【００１２】
また、前記した各係止部４の各係止片４３は、辺４２を下側の一辺とする二等辺三角形状で、先端が尖っている。
【００１３】
前記した構成の口金１は、図５で示すように紙管ａの端部に、油圧シリンダー（図示せず）を使用し、加圧して嵌着するもので、嵌着状態では紙管ａの端縁に各係止部４が喰い込んで強固に固定されることになる。
【００１４】
したがって、口金１は紙管ａから離脱したり単独でずれ動くことがなく、紙管ａをシート材の巻き取り装置に装着してシートを巻き取らせ、その過程で大きなトルクが作用しても、安定に回転することができる。
【００１５】
上記した説明では、孔部４１を正方形状としたから、係止爪４３が３本で、トルクの作用方向に対して４５度の鋭角となっている。しかし、孔部４１が五角形状、その他の多角形状にすると、各係止部４の係止爪４３は多角形状に対応する本数を有し、また鋭角の角度が相違することになる。
【００１６】
そして、一つの辺に係止片を設けないようにしたのは、紙管ａに嵌着するときの圧力を軽減させるためであり、また係止片を設けていない辺を、隣り合う係止部相互において対向させることにより、トルクの作用方向が異なっても、充分に対応させることができるからである。したがって、紙管の両端部に嵌着する口金を、左右使い勝手とする必要がない。
【００１７】
図６に示す本発明の他の実施例は、鍔部３の外周縁に、筒状口金本体２に沿って平行に支持片３１を設け、口金本体２の端部外面、鍔部３の内面および前記支持片３１の内面で囲まれる断面コ字状の環状空部３２に、前記紙管ａの端縁を嵌着するようにした構成である。
【００１８】
この実施例の構成によれば、紙管ａの端部の内面、および外面に口金が強固に嵌着しているので、前記実施例の口金より固定強度が高まり、紙管に対して離脱する可能性がほとんどない。
【００１９】
以上本発明を図面に示す実施例に基づいて説明したが、本発明は前記実施例に限定されるものではなく、特許請求の範囲に記載された構成を変更しない限り、どのようにでも実施することができる。
例えば、前述の通り、鍔部に形成する係止部の数は特定されるものではなく、少なくとも設計上計算されるトルクに対応するだけの数を設ければよい。また、多角形状の孔部、即ち各係止部の多角形状も設計によって適宜に選択できるし、各係止片も、紙管ａに強固に嵌合すれば、どのような形状でもよい。
【００２０】
【発明の効果】
以上要するに、本発明の請求項１に記載した発明は、筒状口金本体の一端部に設けてある外向きの鍔部に複数の係止部を設け、前記係止部を、多角形状の孔部の複数の辺の内の一辺に設けられていなくて残りの各辺に設けられている係止片により構成し、前記各係止片を、口金本体に働くトルクの作用方向に対して鋭角に設定してなることを特徴とする。
したがって、口金を紙管に嵌着する作業において、加圧力を軽減できるばかりでなく、各係止片が損傷したり折損することがなく、著しく高強度で口金が紙管に取り付けられていることになり、特に高速で、太巻きする場合に、作用する大きなトルクに充分に耐えることができる。
【００２１】
本発明の請求項２に記載した発明によれば、係止部を等間隔で配置することにより、口金がバランスよく紙管に嵌合するので、取付強度がさらに高まるし、係止片が口金本体に働くトルクの作用方向に対して４５度であれば、もっとも強度の高いものとなる。
【００２２】
本発明の請求項３に記載した発明によれば、紙管に取り付ける口金の向きを調整する必要がないし、請求項４に記載の発明によれば、係止爪が紙管にもっとも喰い込みやすくなり、実用的価値の高いものとなる。
【図面の簡単な説明】
【図１】本発明の実施例を示す一部を拡大した正面図である。
【図２】図１の斜視図である。
【図３】一部を拡大した斜視図である。
【図４】一部を拡大した図１のＡ−Ａ線の断面図である。
【図５】紙管の端部に嵌着した状態の中央部分を省略した縦断面図である。
【図６】本発明の他の実施例を示す縦断面図である。
【符号の説明】
１  口金
２  口金本体
３  鍔部
４１  孔部
４２、４２’  辺
４３  係止片
【図１】
0003648459.tif 000002
【図２】
0003648459.tif 000003
【図３】
0003648459.tif 000004
【図４】
0003648459.tif 000005
【図５】
0003648459.tif 000006
【図６】
0003648459.tif 000007